(57)【要約】【課題】ユニットバスルームに浴槽を配した時に壁パネルと浴槽の手摺り部の外周縁部との間に空隙を無くし、あるいは一定の巾の空隙を形成して成形シール材を介在させることで空隙が無く、湿式のコーキングでの施工の必要がない施工容易なユニットバスルームの設置構造を提供することを課題とする。【解決手段】ユニットバスルームにおいて、アジャスターボルト２１等を介して上下動調整可能な浴槽２を配すると共に、浴槽２に隣接する壁面は壁面を構成する壁パネル１の室内面が上下のいずれかの方向に出っ張るよう傾斜しており、浴槽２の高さを上下に調整することで浴槽の手摺り部２２の外周面と壁面パネル１との間に生じる空隙Ａを調整するようになした設置構造。【選択図】図２
2006297036.tif 000002
【特許請求の範囲】
【請求項１】
ユニットバスルームにおいて、アジャスターボルト等を介して上下方向に調整可能な浴槽を配すると共に、浴槽に隣接する壁面は壁面を構成する壁パネルの室内面が上下方向に傾斜しており、浴槽の高さを上下に調整することで浴槽の手摺り部の外周縁部と壁面パネルとの間に生じる空隙を調整したユニットバスルームの設置構造。
【請求項２】
上記壁パネルは全面にわたり上下方向に傾斜している請求項１記載のユニットバスルームの設置構造。
【請求項３】
上記壁パネルは少なくとも浴槽の手摺り部の外周縁部に当接する部分のみ傾斜を設けた請求項１記載のユニットバスルームの設置構造。
【請求項４】
上記浴槽を上下いずれかの方向に調整して壁パネルと浴槽の手摺り部の外周縁部との間に一定の空隙を形成し、該空隙に成形シール材を介在させる請求項１ないし３いずれか記載のユニットバスルームの設置構造。
【発明の詳細な説明】
【技術分野】
【０００１】  本発明はユニットバスルームにおける浴槽の設置構造に関するものであり、浴槽を上下方向に調整することでユニットバスルームを構成する壁パネルと浴槽の手摺り部の外周縁部との間に空隙を生じることのないもの、あるいは一定の空隙を形成してシール材を介在させることで空隙を無くしたものである。そのため湿式のコーキング施工の必要がない施工容易なユニットバスルームの設置構造に関する。
【背景技術】
【０００２】  ユニットバスルームに浴槽を設置することは通常に行われていることである。
【特許文献１】特開平９−２０６２３６号公報（第４頁、図１）
【発明の開示】
【発明が解決しようとする課題】
【０００３】  上記特許文献１に記載されているものは気泡浴槽の設置構造に関するものであり、壁パネルと浴槽の間にゴムパッドを用いて隙間をシールし、振動を絶縁するものである。本発明は気泡浴槽を使用するものでないので上記特許文献と異なり壁パネルと浴槽の手摺り部の外周縁部との間に隙間を形成することなく、あるいは逆に一定の隙間を形成して成形シール材を嵌合して隙間のないユニットバスルームを提供するものである。【０００４】  通常壁パネルは製品公差や施工交差を除いてほぼ垂直に施工されるように設計される。しかし壁パネルは床に仮固定されて施工されるので、樹脂で成形されるユニットバスルームの床版の成形条件、床版が載置される建物の床部分の条件により該壁パネルを単に床に載置したのみでは壁パネルと浴槽の手摺り部の外周縁部間に空隙が生じ見苦しいものである。この空隙は湿式コーキング等で封鎖されている。【０００５】  本発明はアジャスターボルトやライナーを用いて浴槽を上下に移動させて壁パネルに設けた傾斜を利用して壁パネルと浴槽の手摺り部の外周縁部との間の空隙をなくし、あるいは逆に一定の空隙を形成して成形シール材を介在さすことで空隙のない見栄えの良いユニットバスルームを提供するものである。
【課題を解決するための手段】
【０００６】  上記課題を解決するために、本発明に係るユニットバスルームにおける設置構造の第一の特徴構成は、請求項１に記載した如く、ユニットバスルームにおいて、アジャスターボルト等を介して上下方向に調整可能な浴槽を配すると共に、浴槽に隣接する壁面は壁面を構成する壁パネルの室内面が上下方向に傾斜しており、浴槽の高さを上下に調整することで浴槽の手摺り部の外周縁部と壁面パネルとの間に生じる空隙を調整した点にある。【０００７】  同第二の特徴構成は、請求項２に記載した如く、上記の特徴構成に加えて上記壁パネルは全面にわたり上下方向に傾斜している点にある。【０００８】  同第三の特徴構成は、請求項３に記載した如く、壁パネルは少なくとも浴槽の手摺り部の外周面に当接する部分のみ傾斜を設けた点にある。【０００９】  同第四の特徴構成は、請求項４に記載した如く浴槽を上下いずれかの方向に調整して壁パネルと浴槽の手摺り部の外周縁部との間に一定の空隙を形成し、該空隙に成形シール材を介在させる点にある。
【発明の効果】
【００１０】  請求項１に記載のユニットバスルームの設置構造は前記構成であり、浴槽をアジャスターボルトなどで上下いずれかの方向に高さ調整することで壁パネルの傾斜面と相俟って自在に形成される空隙の巾を調整できる。【００１１】  請求項２に記載のユニットバスルームの設置構造は前記構成であり、壁パネルが上下方向に傾斜しているので浴槽の高さを調整することで浴槽の手摺り部の外周部と壁パネルの間との隙間を調整できる。【００１２】  請求項３に記載のユニットバスルームの設置構造は前記構成であり、壁パネルと少なくとも浴槽の手摺り部の外周縁部と隣接する部分にのみ傾斜を設けることで浴槽と壁パネルの間の隙間寸法を調整できる。【００１３】  請求項４に記載のユニットバスルームの設置構造は前記構成であるので浴槽の前後にわたり一定間隔の空隙を形成でき、該空隙に成形シール材を介在させて該空隙を封鎖できる。
【発明を実施するための最良の形態】
【００１４】  以下、本発明の実施形態について図面を参照して、詳細に説明する。図１ないし図４は本発明に係るユニットバスルームの実施例を示すものである。【００１５】  図１は本願発明のユニットバスルームに空隙Ａを調整することなく浴槽を設置した状態を示している。ここにおいて、壁パネル１は珪酸カルシウム板等の窯業系板材１１に金属板や樹脂板などの表面化粧材１２を張り合わせたもので、垂直に立設されている。該壁パネル１はその室内面が上下方向に徐々に出っ張るよう傾斜した状態で取付けられている。図１における壁パネル１の厚みは上方より下方のほうが厚くその厚みの差は大きくても数センチであり、壁パネル１の上下方向の長さが大であるので、この数センチの差による傾斜は殆ど目ざわりにならない。図１に示す実施形態では、壁パネル１の室内面側が下方にいくに従って徐々によりおおく出っ張った状態となっている。【００１６】  浴槽２は建物の床５の上に載置された樹脂製の床版３の上に設置され、浴槽２の下面にはアジャスターボルト２１が少なくとも４ヶ所浴槽２の高さが調整できるように設けられている。従って、該アジャスターボルト２１を操作することにより浴槽２の高さを上下に調整出来るようになっている。浴槽の周囲には外周縁部２３を持つフランジ状の手摺り部２２が形成されている。【００１７】  図１に示すように床版３に浴槽２および壁パネル１を設置した場合では、床版３の成形条件や建物の床５部分の成形により、壁パネル１と浴槽２の手摺り部２２の外周縁部２３との間に隙間Ａが形成されることが多い。【００１８】  図２は図１における浴槽全体を降下させて壁パネルと浴槽の手摺り部の外周縁部との間の空隙を無くした部分断面図である。図１においては垂直に立設された壁パネル１は、室内面側が下にいくほどよりおおく出っ張った状態で傾斜している。したがって浴槽２のアジャスターボルト２１を調整して浴槽２全体を下方に下げることで、図２に示すように壁パネル１と浴槽２の手摺り部２２の外周縁部２３との間の図１に生じる空隙Ａをなくすることができる。【００１９】  壁パネル１は図１に示した実施形態とは逆に、壁パネル１の下部より上部の厚みを大となるように設置されることもできる。即ち、壁パネル１の室内面側を上に行くほどよりおおく出っ張った状態で傾斜させることもできる。この場合浴槽２のアジャスターボルト２１を調整して浴槽２全体を押し上げることで、壁パネル１と浴槽２の手摺り部２２の外周縁部２３との間に生ずる空隙Ａ（図１参照）を無くすることができる。【００２０】  図３に示すように壁パネル１の室内面全体を傾斜させる必要はなく、浴槽２と接する部分だけを傾斜させておけば、浴槽２の手摺り部２２の外周縁部２３との間に生じる空隙Ａをなくする効果が得られる。この場合、壁パネル１と浴槽２の手摺り部２２の外周部２３とが接する部分だけを、図３に示した上方出っ張り傾斜或いは図４に示した下方出っ張り傾斜に傾斜させておけばよいが、壁パネル１の製作の関係から壁パネル１の下半分だけ傾斜させる方が、製造し易くユニットバスルーム完成後に壁パネル１の上方部は平坦であるので物干しバーや棚を取付け易い。【００２１】  図４に示す実施形態では、壁パネル１��浴槽２の手摺り部２２の外周縁部２３との間に一定の空隙Ａを形成して、成形シール材４を該空隙Ａに配している。壁パネル１と浴槽２の手摺り部２２の外周縁部２３との間に生じる空隙Ａの巾は、その長さ方向に沿って一定しない場合がある。このような場合でも、アジャスターボルト２１を調整することで空隙Ａの巾を一定にすることが出来るので、一定巾の成形シール材４を隙間Ａに挿入して空隙Ａを封鎖したものである。【００２２】  このように本発明は、垂直に立設された壁パネル１の室内面を上下方向に徐々に出っ張るよう傾斜面とし、浴槽２の高さをアジャスターボルト２１等で全体的に、あるいは部分的に上下に調整出来るようにしたものである。そのため壁パネル１と浴槽２の手摺り部２２の外周縁部２３との間に生じる隙間Ａをなくし、または空隙Ａを一定にすることで成形シール材４を用いて隙間Ａを封鎖することができる。また、本発明は、隙間Ａが生じにくいので湿式コーキングの使用が不要となり、浴槽２の設置が容易となり、更に、隙間Ａがないので見栄えの良いユニットバスルームが形成できる。
【図面の簡単な説明】
【００２３】
【図１】  本発明にかかる浴槽の設置状況の一実施例を示すユニットバスルームの部分断面図。
【図２】  図１における浴槽全体を降下させて壁パネルと浴槽の手摺り部の外周縁部との間の空隙を無くした部分断面図。
【図３】  壁パネルの一部を傾斜面としたときの壁パネルと浴槽の手摺り部の外周部との取り合わせを示す部分断面図。
【図４】  壁パネルと浴槽の手摺りの外周縁部との間に空隙を形成し、成形シール材を配した部分断面図。
【符号の説明】
【００２４】Ａ      空隙
１      壁パネル
１１    窯業系板材
１２    化粧材
２      浴槽
２１    アジャスターボルト
２２    浴槽の手摺り部
２３    手摺り部の外周縁部
３      床版
４      成形シール材
５      建物の床
【図１】
2006297036.tif 000003
【図２】
2006297036.tif 000004
【図３】
2006297036.tif 000005
【図４】
2006297036.tif 000006